(57)【要約】      （修正有）【課題】蒸気の噴出す方向を限定し安全対策とするばかりでなく、キッチン周りや洗面所等の狭い箇所の清掃、除菌が効果的に行える蒸気洗浄アプリケータを提供する。【解決手段】ノズルベース部２００と、ノズルベース部２００の一端側に取り付けられるコネクタ部３００と、ノズルベース部２００の他端側に取り付けられるノズル本体部１００とを有し、ノズル本体部１００は、ノズルベース部２００を介して供給される蒸気を導入する導管１１１と、少なくとも第１の面および第２の面とを有し、蒸気が第１の面のみに対して供給されるように構成された蒸気洗浄アプリケータ１０である。【選択図】図５
2015205244.tif 000002
【特許請求の範囲】
【請求項１】
ノズルベース部と、
前記ノズルベース部の一端側に取り付けられるコネクタ部と、
前記ノズルベース部の他端側に取り付けられるノズル本体部と
を有し、
前記ノズル本体部は、
前記ノズルベース部を介して供給される蒸気を導入する導管と、
少なくとも第１の面と第２の面と、
を有し、
前記導管から導入される蒸気が、前記第１の面のみに対して供給される構成である、
蒸気洗浄アプリケータ。
【請求項２】
前記ノズル本体部の前記第１の面には、前記導管と連通した蒸気ガイド溝が形成されてなる、
請求項１に記載の蒸気洗浄アプリケータ
【請求項３】
前記ノズル本体部は、帯板状である
請求項１または２のいずれかに記載の蒸気洗浄アプリケータ。
【請求項４】
前記ノズルベース部は、前記ノズル本体部から遠位方向に向かって、前記ノズル本体部の前記第２の面側に所定の角度をなすように屈曲してなる屈曲部を有してなる
請求項１乃至３のいずれかに記載の蒸気洗浄アプリケータ。
【請求項５】
前記第１の面と反対側の前記第２の面には、複数のリブが形成されてなる
請求項１乃至４のいずれかに記載の蒸気洗浄アプリケータ。
【請求項６】
請求項１乃至５のいずれかに記載の蒸気洗浄アプリケータが脱着自在とされる蒸気洗浄機。
【発明の詳細な説明】
【技術分野】
【０００１】
本発明は、例えば、蒸気を噴き付けて洗浄を行う蒸気洗浄機の付属品として使用される蒸気洗浄アプリケータに関する。
【背景技術】
【０００２】
家庭において効果的な洗浄ができる蒸気洗浄は広く普及してきている。例えば、床に蒸気を噴き付けながら洗浄を行うキャニスター型蒸気洗浄機及び、自立型のスチームモップ等がある。また、キッチン周りや窓のサッシなど細かい箇所の洗浄が手軽にできるハンディタイプの蒸気洗浄機が一般家庭で使用されるようになってきており、リビング用、ガラス拭き用並びに、キッチン用等さまざまな洗浄箇所に合わせた蒸気洗浄アプリケータが付属された蒸気洗浄機も増えている。
【先行技術文献】
【特許文献】
【０００３】
【特許文献１】実用新案登録第３１６０３５４号公報
【０００４】
特許文献１に記載の蒸気洗浄機は、蒸気発生ユニットと、蒸気洗浄アプリケータと、蒸気発生ユニットから蒸気洗浄アプリケータの蒸気入口まで蒸気を案内するように構成された蒸気導管とを有しており、蒸気洗浄アプリケータは、蒸気導管に接続可能であり、蒸気洗浄アプリケータの蒸気導管への接続を緩めることなく、蒸気導管に対していずれの回転方向にも回転可能に構成したものである。
【発明の概要】
【発明が解決しようとする課題】
【０００５】
特許文献１の形態の蒸気洗浄アプリケータでは、蒸気洗浄機を稼動させた際に蒸気洗浄アプリケータの全周囲から高温の蒸気が噴出すために、不用意に人が近くにいた場合、蒸気があたり火傷してしまうという恐れがある。
【０００６】
本発明は、このような点に鑑みなされたもので、蒸気の噴出す方向を限定し安全対策とするばかりでなく、キッチン周りや洗面所等の狭い箇所の清掃、除菌が効果的に行える蒸気洗浄アプリケータを提供することを目的とする。
【課題を解決するための手段】
【０００７】
上述した課題を解決するために、本発明は、例えば、
ノズルベース部と、
ノズルベース部の一端側に取り付けられるコネクタ部と、
ノズルベース部の他端側に取り付けられるノズル本体部と
を有し、
ノズル本体部は、
ノズルベース部を介して供給される蒸気を導入する導管と、
少なくとも第１の面と第２の面と、
を有し、
導管から導入される蒸気が、第１の面のみに対して供給される構成の
蒸気洗浄アプリケータである。
【０００８】
ノズル本体部の第１の面に、蒸気を導入する導管と連通した蒸気ガイド溝が形成されてもよい。
第１の面と反対側の第２の面に、複数のリブが形成されてもよい。
ノズルベース部が、ノズル本体から遠位方向に向かってノズル本体部の第２の面側に所定の角度をなすように屈曲してなる屈曲部を有するようにしてもよい。
【０００９】
本発明による蒸気洗浄アプリケータを脱着自在とされる蒸気洗浄機として、本発明を構成することもできる。
【発明の効果】
【００１０】
本発明によれば、蒸気の噴出す方向を限定し安全対策とするばかりでなく、キッチン周りや洗面所等の狭い箇所の清掃、除菌が効果的に行える蒸気洗浄アプリケータを提供することができる。
【図面の簡単な説明】
【００１１】
【図１】本実施形態のスチームクリーナの構成を斜め上方から見た斜視図である。
【図２】本実施形態のハンドグリップ部を斜め上方から見た斜視図である。
【図３】本実施形態の蒸気洗浄アプリケータを斜め下方から見た斜視図である。
【図４】本実施形態のノズル本体部を第１の面側から見た斜視図である。
【図５】本実施形態の蒸気洗浄アプリケータを斜め下方からみた分解斜視図である。
【図６】本実施形態の蒸気洗浄アプリケータを斜め上方からみた分解斜視図である。
【発明を実施するための形態】
【００１２】
以下に本発明の蒸気洗浄アプリケータの好適な実施形態について、図面を参照しながら説明する。なお、本実施形態は一例であり、これに限定されるものではない。蒸気洗浄アプリケータは、蒸気洗浄機（以下、スチームクリーナと称する。）に取り外し不可能なように固定されてもよく、スチームクリーナに着脱自在とされてもよい。
【００１３】
図１は、本発明の実施形態に係る蒸気洗浄アプリケータ１０を含む、スチームクリーナ１の構成の一例を示している。図２は、蒸気洗浄アプリケータ１０が取り付けられるハンドグリップ部２０の構成の一例を示している。図１に示すように、蒸気発生装置本体３０から図示しない蒸気導管が延出し、蒸気導管の先端にハンドグリップ部２０が取り付けられる。なお、ハンドグリップ部２０は蒸気導管に取り外し不可能なように固定されていてもよく、着脱自在とされてもよい。
【００１４】
ハンドグリップ部２０における蒸気導管が接続される側と反対側の端部には、ノズル２１を含む蒸気の噴出機構が設けられている。蒸気発生装置本体３０により発生した蒸気が蒸気導管およびハンドグリップ部２０の内部を通過し、ノズル２１から噴出されるように構成されている。ハンドグリップ部２０のノズル２１の基部には、ねじ部２２が形成されている。
【００１５】
蒸気洗浄アプリケータ１０は、一端側にコネクタナット３００を有している。このコネクタナット３００をねじ部２２にねじ込み操作を行うことによって、蒸気洗浄アプリケータ１０がハンドグリップ部２０に脱着可能に取付けられる。なお、蒸気洗浄アプリケータ１０を装着しなくてもハンドグリップ部２０がノズル２１を有しているので、使用者がこのハンドグリップ部２０を把持しながら蒸気の噴出操作を行うことで、蒸気洗浄アプリケータ１０を使用しなくても蒸気洗浄が可能である。
【００１６】
次に、蒸気洗浄アプリケータ１０の構成を詳細に説明する。図３に示すように、蒸気洗浄アプリケータ１０は、ノズル本体部１００と、ハンドグリップ部２０を通じて蒸気発生装置本体３０で発生させた蒸気をノズル本体部１００に導くためのノズルベース２００と、ハンドグリップ部２０に蒸気洗浄アプリケータ１０を脱着可能に連結するコネクタ部３５０で構成される。
【００１７】
図４に示すように、ノズル本体部１００は例えば、略直方体で長尺な厚さ１５ｍｍ程度の帯板状を為し、ここでは耐熱性と強度を確保する点からガラスファイバーを混入させたポリプロピレン樹脂を使用して射出成形で一体に形成している。その厚み方向の外周囲は前端部１３１と両側面部１３０で外壁部が構成され、稜線には全て曲面による面取りが施されている。
【００１８】
図４、図５、図６に示すように、ノズル本体部１００は、少なくとも第１の面と第２の面とを有する。本実施形態では、ノズル本体部１００が有する面のうち、最も面積が大きい略長方形の一対の平面部が第１の面および第２の面の一例とされる。第１の面には、蒸気導入口１１２の開放端と連通し、蒸気を導く流路として蒸気ガイド溝１３２が形成されている。蒸気ガイド溝１３２は例えば、陸上競技場のようなトラック形状をなすように第１の面に凹設されている。前端部１３１の外壁も一部僅かに切り欠かかれていて、使用後、冷えて水となった蒸気が蒸気ガイド溝１３２に留まらずに前端部１３１から排出されるようにしている。蒸気導入口１１２から供給された蒸気は、第１の面に凹設した蒸気ガイド溝１３２を長手方向に前端部１３１に向かって一気に導入される。他方の第２の面には格子状の複数のリブ１３３が形成され、複数のリブによりノズル本体部１００の強度の向上を図っている。すなわち本発明の実施形態に係るノズル本体部１００は、第１の面のみに蒸気が供給される構成としている。
【００１９】
ノズル本体部１００は例えば、蒸気透過性を有する例えば布製の袋状のカバー（図示を省略している）で覆われて使用される。蒸気は、このカバーと蒸気が供給される蒸気ガイド溝１３２が凹設されている第１の面との間に導入される。そして、蒸気がカバーの表面から外方に噴射されることにより被洗浄面が洗浄される。
【００２０】
上述した袋状のカバーの開放端側にはコードロック機能を備えた紐を装着しており、ノズル本体部１００を、その前端部１３１から被せるように覆い、ノズル本体部１００よりも段差をつけて外周を小さく構成した段差部１２０でしっかりコードロックを行う。これにより蒸気洗浄作業中にカバーが脱落し蒸気が噴出するのを防止できる。
【００２１】
ノズル本体部１００は、パッキン５００を取付け挿入部１１０側の中央に設けている導管１１１と取付け受け部２１０側の導管２６０との間に装着されることにより蒸気の漏れを防止している。ノズル本体部１００は、取付け挿入部１１０をノズルベース２００に形成した取付け受け部２１０に係合して、図示しないねじをノズルベース２００のねじ止め座部２７０側から取付け、当該ねじを取付け挿入部１１０に穿設したねじ受け孔１１４に螺入することによって固定される。取付け座部１１３は取付け受け部２１０の開口側端面２１１に突き当てるのではなく、ねじれの外力によってノズルベース２００とノズル本体部１００とが回転方向にずれないように開口側端面２１１とオーバーラップさせる構造により、より強固な固定とすることができる。
【００２２】
ノズルベース２００は、前記ノズル本体部１００から遠位方向に向かってノズル本体部１００の複数のリブ１３３が形成される第２の面側に所定の角度をなすように、くの字状に屈曲している。ノズルベース２００の中心を長手方向に導管２６０が貫通している。略円筒状のノズルベース筐体２４０と導管２６０との間の空間は複数の放射状のリブ２５０で連結されて一体に形成されている。円筒状をなすノズルベース筐体２４０の一方の端面側には取付け受け部２１０が形成され、他方の端面側に延出する導管２６０の外周部には、円周方向に複数の溝２３０が凹設されている。ノズルベース２００は、ここでは耐熱性と強度を確保する点からノズル本体部１００と同様に、ガラスファイバーを混入させたポリプロピレン樹脂を使用して射出成形で形成している。
【００２３】
次にハンドグリップ部２０に蒸気洗浄アプリケータ１０を脱着可能に連結するコネクタ部３５０について説明する。コネクタナット３００は円筒形状をなし、内周壁にはねじ部３４０が形成され、外周壁には軸長方向にローレット３２０が刻印されている。インナーコネクタ４００は、コネクタナット３００と同様に円筒形状をなし、一方の開放端に外方に延設させた鍔部４１０を有し、他方の開放端は軸心方向に向けて延設した縁部４２０を有している。
【００２４】
次にコネクタ部３５０の組立方法の一例を説明する。ノズルベース筐体２４０の他方の端面側に延出する導管２６０をガイドとして、まずコネクタナット３００を挿着し、その後でインナーコネクタ４００を導管２６０の外筒部に嵌入する。嵌入の際、縁部４２０がストッパとなるので導管２６０の端部に当接するまで押込めば良い。導管２６０の外周面には接着剤が塗布されており、インナーコネクタ４００は嵌入及び接着によってノズルベース２００に接合固定される。複数の溝２３０は接着剤の漏れを防ぐための接着剤溜まりである。コネクタナット３００は、その軸心側に延設させた端部３１０がノズルベース筐体２４０とインナーコネクタ４００の鍔部４１０との間隙に遊びをもって挟着されることにより回転可能に取付けられる。
【００２５】
インナーコネクタ４００は例えば、ガラスファイバー入りのナイロン樹脂により形成され、コネクタナット３００は例えば、ポリプロピレン樹脂で形成されている。ただし、材料はこれに限定されるものではなく、本発明の技術的思考に基づく各種の選定が可能である。
【００２６】
上記で説明した蒸気洗浄アプリケータ１０の蒸気入口２２０にハンドグリップ部２０のノズル２１を挿入し、コネクタナット３００をねじ部２２にねじ込み操作を行うことによって蒸気洗浄アプリケータ１０はハンドグリップ部２０に脱着可能に取付けられる。
【００２７】
上述のように構成されたスチームクリーナ１は、蒸気洗浄アプリケータ１０のノズル本体部１００に蒸気透過性を有する例えば布製のカバーを装着して使用する。ここで、ノズルベース２００は、前記ノズル本体部１００から遠位方向に向かってノズル本体部の複数のリブ１３３で形成される第２の面側に所定の角度をなして、くの字状に屈曲した形状であり、尚且つノズル本体部１００から蒸気が発出されるのは、蒸気をガイドするガイド溝が形成された第１の面のみからである。このため、蒸気発出面がどちらなのか分かりやすく、不用意に人に蒸気をあてて火傷させてしまうという恐れを回避することができる。またノズル本体部１００は厚さが薄い帯板状なので、例えばコンロと壁の隙間等のキッチン周りや、洗濯機と壁の隙間等の洗面所周りの狭い箇所の清掃、除菌を効果的に容易に行うことができる。
【００２８】
本発明の実施形態では、蒸気洗浄アプリケータ１０をハンドグリップ部２０を介して蒸気発生装置本体３０に接続しているが、これに限定されることはない。蒸気の噴出操作機構を備えた蒸気発生装置本体３０であればハンドグリップ部２０を省いて直接、蒸気洗浄アプリケータ１０を接続することも可能であり、また、蒸気導管を介して接続することも可能である。
【００２９】
以上で、本発明の実施形態を説明したが、上述した実施形態はあくまで好適な一例に過ぎない。本発明はノズル本体からの蒸気発出面を限定するようにしたものであれば良く、その限りにおいて本発明は上述した実施形態に限定されることなく適宜の設計的変更や様々な変形、応用が可能である。
【符号の説明】
【００３０】
１                    スチームクリーナ
１０                    蒸気洗浄アプリケータ
２０                    ハンドグリップ部
３０                    蒸気発生装置本体
１００                    ノズル本体部
１１０                    取付け挿入部
１１１                    導管
１１２                    蒸気導入口
１１３                    取付け座部
１１４                    ねじ受け孔
１２０                    段差部
１３０                    側面部
１３１                    前端部
１３２                    蒸気ガイド溝
１３３                    リブ
２００                    ノズルベース
２１０                    取付け受け部
２１１                    開口側端面
２２０                    蒸気入口
２３０                    溝
２４０                    ノズルベース筐体
２５０                    リブ
２６０                    導管
２７０                    ねじ止め座部
３００                    コネクタナット
３１０                    端部
３２０                    ローレット
４００                    インナーコネクタ
４１０                    鍔部
４２０                    縁部
５００                    パッキン
【図１】
2015205244.tif 000003
【図２】
2015205244.tif 000004
【図３】
2015205244.tif 000005
【図４】
2015205244.tif 000006
【図５】
2015205244.tif 000007
【図６】
2015205244.tif 000008